(57)【要約】【課題】  気体を容易に収納し回収でき、気体を取り出す際には漏れや外部から汚染がない検査用呼気パックを提供する。【解決手段】  パッキン１５及びキャップ１７をはずして呼気気体を吹き込み、前記パッキン１５を介して前記キャップ１７を螺合して、気体を密封し収納した後に、前記パッキン１５を貫通して注射針２３を差し込んで、該注射針２３から収納されている前記気体を取り出すことのできる、積層フィルムによって袋状に形成されたパウチ本体１１に、スパウトが取り付けられたスパウト付きパウチを用いる検査用呼気パックにおいて、前記スパウトのキャップ１７の天面に穴を有し、パッキン１５が柔軟性を有することを特徴とし、上記スパウト付きパウチがスパウト付きスタンディングパウチであり、パッキン１５がガラス転移温度０℃以下のシリコーンであることも特徴とする。【選択図】  図１
2007108090.tif 000002
【特許請求の範囲】
【請求項１】
パッキン及びキャップをはずして呼気気体を吹き込み、前記パッキンを介して前記キャップを螺合して、気体を密封し収納した後に、前記パッキンを貫通して注射針を差し込んで、該注射針から収納されている前記気体を取り出すことのできる、積層フィルムによって袋状に形成されたパウチ本体に、スパウトが取り付けられたスパウト付きパウチを用いる検査用呼気パックにおいて、前記スパウトのキャップの天面に穴を有し、パッキンが柔軟性を有することを特徴とする検査用呼気パック。
【請求項２】
上記スパウト付きパウチがスパウト付きスタンディングパウチであることを特徴とする請求項１記載の検査用呼気パック。
【請求項３】
パッキンがガラス転移温度０℃以下のシリコーンであることを特徴とする請求項１〜２のいずれかに記載の検査用呼気パック。
【発明の詳細な説明】
【技術分野】
【０００１】
本発明は、検査用呼気パックに関し、さらに詳しくは、ピロリ菌検査や気体を収納できる検査用呼気パックに関するものである。
【０００２】
本明細書において、配合を示す「比」、「部」、「％」などは特に断わらない限り質量基準であり、「／」印は一体的に積層されていることを示す。
また、「ＰＥＴ」は「２軸延伸ポリエチレンテレフタレートフィルム」、「ＯＮ」は「２軸延伸ポリアミドフィルム」、「ＯＰＰ」は「２軸延伸ポリプロピレンフィルム」、「ＬＤＰＥ」は「低密度ポリエチレン」、「Ｌ−ＬＤＰＥ」は「直鎖状低密度ポリエチレン」、「ＨＤＰＥ」は「高密度ポリエチレン」、「ＥＶＡ」は「エチレン−酢酸ビニル共重合体」、「ＰＶＤＣ」は「ポリ塩化ビニリデン」、「ＥＶＯＨ」は「エチレン−酢酸ビニル共重合体ケン化物フィルム」、及び「ＣＰＰ」は「無延伸ポリプロピレンフィルム」の略語、機能的表現、通称、又は業界用語である。
【背景技術】
【０００３】
（主なる用途）本発明の検査用呼気パックの主なる用途としては、ピロリ菌検査や気体を収納できる検査用呼気パックなどで、気体を収納し易く、かつ取出しの際の漏れや外部から汚染の極めて少なくしたものである。しかしながら、ピロリ菌などの菌検査や気体を収納するため、気体を収納し易く、かつ取り出しの際には漏れや外部から汚染を防止する用途であれば、特に限定されるものではない。
【０００４】
（背景技術）従来、胃炎、胃潰瘍、及び十二指腸潰瘍などの消火器疾患の原因と指摘されていたヘリコバクター・ピロリ（以降、ピロリ菌と呼称する）は、１９９４年、世界保健機構よりピロリ菌は確実な発ガン要因であると公表されている。該ピロリ菌の有無の検査方法として、呼気収納袋（呼気バッグ、呼気パックともいう）へ息を吹き込み、その呼気（気体）を分析することで、検出する方法がある。しかしながら、ピロリ菌を含む可能性のある気体を収納するため、気体を収納し易く、かつ取出しの際の漏れや外部から汚染のない検査用呼気パックが必要である。
従って、検査用呼気パックは、軽い吹き込みで容易に開き、直ちにキャップをして封止できるなど気体を容易に収納し回収でき、大量でも保管し易く、輸送し易く、また、検査時などに気体を取り出す際には漏れや外部から汚染がなく、効率的に検査でき、さらに使用までは保管し易さが求められている。
【０００５】
（先行技術）従来、呼気バッグとしては、呼気の散逸防止するためアルミホイルを積層したプラスチックフィルムを使用したスタンディングパウチが知られている（例えば、特許文献１参照。）。しかしながら、呼気などの気体を吹き込むとその圧力で底部が一旦は開拡するも、気体注入口から口を離すと底部が閉じてしまい、口を離してキャップで密封する間に呼気が漏れて、充分な量の呼気を採取できないという問題点がある。
また、この問題を回避するため、逆止弁や気体注入口の下部に柔軟な樹脂製チューブを設けた逆止弁を取り付けたものが知られている（例えば、特許文献２参照。）。しかしながら、逆止弁を有する気体注入口は構造が複雑で、製造も煩雑で、歩留まりが悪いという問題点がある。
逆止弁を有さない気体注入口のキャップを外し呼気を吹込み、袋を拡開し呼気を収納しキャップを螺合した後に検査装置に接続するガゼット袋が知られている（例えば、特許文献３参照。）。しかしながら、気体注入口のキャップをはずすだけで検査装置に接続できるが、キャップをはずす手間や、はずす際に漏れたり、外部から菌やガスが混入する恐れがあるという欠点がある。
【０００６】
【特許文献１】特開平８−４３３８２号公報
【特許文献２】特開平７−４３０５０号公報
【特許文献３】特開２００３−４０２９１公報
【発明の開示】
【発明が解決しようとする課題】
【０００７】
そこで、本発明はこのような問題点を解消するためになされたものである。その目的は、軽い吹き込みで容易に開き、直ちにキャップをして封止できるなど気体を容易に収納し回収でき、大量でも保管し易く、輸送し易く、また、検査時などに気体を取り出す際には漏れや外部から汚染がなく、効率的に検査でき、さらに使用までは保管し易すい検査用呼気パックを提供することである。
【課題を解決するための手段】
【０００８】
上記の課題を解決するために、請求項１の発明に係わる検査用呼気パックは、パッキン及びキャップをはずして呼気気体を吹き込み、前記パッキンを介して前記キャップを螺合して、気体を密封し収納した後に、前記パッキンを貫通して注射針を差し込んで、該注射針から収納されている前記気体を取り出すことのできる、積層フィルムによって袋状に形成されたパウチ本体に、スパウトが取り付けられたスパウト付きパウチを用いる検査用呼気パックにおいて、前記スパウトのキャップの天面に穴を有し、パッキンが柔軟性を有するように、したものである。
請求項２の発明に係わる検査用呼気パックは、上記スパウト付きパウチがスパウト付きスタンディングパウチであるように、したものである。
請求項３の発明に係わる検査用呼気パックは、パッキンがガラス転移温度０℃以下のシリコーンであるように、したものである。
【発明の効果】
【０００９】
請求項１の本発明によれば、気体を吹き込み、直ちにキャップをして封止できるなど気体を容易に収納し回収でき、大量でも保管し易く、輸送し易く、また、検査時などに気体を取り出す際には漏れや外部から汚染がなく、効率的に検査でき、さらに使用までは保管し易すい検査用呼気パックが提供される。
請求項２の本発明によれば、請求項１の効果に加えて、軽い吹き込みで容易に開くので、より気体を容易に収納し易い検査用呼気パックが提供される。
請求項３の本発明によれば、請求項１〜２の効果に加えて、注射針を差し込む際にパッキンを貫通し易く、かつ注射針とパッキンとの密着性がよいので、注射針とパッキンとの間から漏れや外部から汚染がよりなく、気体を取り出すことのできる検査用呼気パックが提供される。
【発明を実施するための最良の形態】
【００１０】
以下、本発明の実施形態について、図面を参照しながら、詳細に説明する。
図１は、本発明の１実施例を示す検査用呼気パックのスパウト部の断面図である。
【００１１】
（検査用呼気パック）本発明の検査用呼気パック１０は、図１（Ａ）に示すように、積層フィルムによって袋状に形成されたパウチ本体１１に、スパウトが取り付けられたスパウト付きパウチであり、前記スパウトのキャップ１７の天面に穴２１を有し、パッキン１５は柔軟性を有るようにする。該検査用呼気パックは、パッキン１５及びキャップ１７をはずして呼気気体を吹き込み、前記パッキン１５を介して前記キャップ１７を注出口１３へ螺合して、気体を密封し収納できる。そして、気体を取り出す際には、図１（Ｂ）に示すように、前記パッキン１５を貫通して注射針２３を差し込んで、該注射針２３から収納されている前記気体を取り出せる。
【００１２】
（パウチ本体）パウチ本体１１に用いる積層フィルムとしては、例えば、ＯＰＰ／ＬＤＰＥ、ＯＰＰ／Ｌ−ＬＤＰＥ、ＯＰＰ／ＣＰＰ、ＰＥＴ／ＬＤＰＥ、ＰＥＴ／Ｌ−ＬＤＰＥ、ＰＥＴ／ＣＰＰ、ＰＥＴ／ＯＮ／ＬＤＰＥ、ＰＥＴ／ＯＮ／Ｌ−ＬＤＰＥ、ＰＥＴ／ＯＮ／ＨＤＰＥ、ＰＥＴ／ＯＮ／ＥＶＡ、ＰＥＴ／ＯＮ／ＣＰＰ、ＰＥＴ／ＰＥＴ／ＬＤＰＥ、ＰＥＴ／ＰＥＴ／Ｌ−ＬＤＰＥ、ＰＥＴ／ＰＥＴ／ＨＤＰＥ、ＰＥＴ／ＰＥＴ／ＥＶＡ、ＰＥＴ／ＰＥＴ／ＣＰＰなどが挙げられるが、これらに限定されるものではなく様々な組み合わせの積層フィルムを使用することができる。
【００１３】
検査用呼気パック１０へ呼気を収納して、その場で検査装置で検査する場合、パウチ本体１１に用いる積層フィルムにはガスバリア層が無くてもよい。しかしながら、検査用呼気パック１０へ呼気を収納してから、検査機関に輸送する場合や長期間保管する場合には、収納気体が積層フィルムを透過して僅かではあるが逸散するために、パウチ本体１１に気体の逸散を防止するガスバリア層を有することが好ましい。この場合には、上記の積層フィルムへ、さらに、Ａｌ箔、Ａｌ蒸着ＰＥＴ、ＯＮ又はＯＰＰ、シリカ蒸着ＰＥＴ、ＯＮ又はＯＰＰ、ＰＶＤＣコートＯＮ、ＰＶＤＣコートＰＥＴ、ＥＶＯＨ、などのガスバリア性を有する層を積層すればよい。また、上記の積層フィルムのＰＥＴ、ＯＮ、ＯＰＰに代えて、Ａｌ蒸着ＰＥＴ、ＯＮ又はＯＰＰ、シリカ蒸着ＰＥＴ、ＯＮ又はＯＰＰ、ＰＶＤＣコートＯＮ、ＰＶＤＣコートＰＥＴを用いるようにしてもよい。
【００１４】
これらの積層フィルムは、通常、各々をフィルム状としてから接着剤で積層したり、塗布液として塗布し乾燥して塗布層としてもよい。具体的には、ドライラミネーション法、イクストルージョンコーティング法などの、当業者では公知の方法で積層することができる。該積層フィルムとしての厚さとしては、呼気を収納する際に容易に膨張できる点から、３０〜５００μｍが好ましく、より好ましくは５０〜３００μｍである。
【００１５】
パウチ本体１１の形状としては、２方シール袋、３方シール袋、４方シール袋、ピロー包装袋、ガゼット袋などで特に限定されるものではない。好ましくはスタンディングパウチ形状であり、スパウト付きスタンディングパウチとして、具体的には、スパウチ（大日本印刷（株）製）、ソフトパウチ（フジシール（株）製）、ハンディパウチ（凸版印刷（株）製）、チアーパック（藤森工業（株）製）などの市販品も適用できる。
【００１６】
（スパウト）パウチ本体１１へ取付けるスパウトとしては特に限定はなく、公知のものでよく、例えばＬＤＰＥ、ＨＤＰＥ、ＰＰ、ＥＶＡなどの材料で、注出口１３へパッキン１５を介して、キャップ１７が螺合できればばよい。キャップ、パッキン、注出口、及びパウチ本体１１へのシール部を有し、該シール部を公知の製袋機でパウチへヒートシールすればよい。
【００１７】
（キャップ）キャップ１７の天面には、穴２１を設けておく、該穴２１の大きさは注射針が通過できればよく、通常１〜１０ｍｍ程度でよい。
【００１８】
（パッキン）パッキン１５としては、柔軟性のある天然ゴム系、ブチルゴム、ポリイソプレン、及びスチレン−ブタジエン共重合樹脂などの合成ゴム系樹脂、シリコーン系樹脂、アクリル系樹脂、ポリ酢酸ビニールやエチレン−酢酸ビニール共重合体などの酢酸ビニール系樹脂、ウレタン系樹脂などが適用できる。好ましくは低温でも柔軟性があり、注射針２３を差し込む際にパッキン１５を貫通し易く、かつ注射針２３とパッキン１５との密着性がよい点で、シリコーン系樹脂である。特に好ましくはガラス転移温度０℃以下のシリコーンであり、通常の検査環境で問題なく使用することができる。
【００１９】
（気体の収納）以上のような、パウチ本体１１にスパウトが取り付けられたスパウト付きパウチである検査用呼気パック１０が得られる。該検査用呼気パック１０のキャップ１７及びパッキン１５をはずして呼気気体を吹き込み、直ちに、パッキン１５を介して前記キャップ１７を注出口１３へ螺合することで、容易に気体を密封し収納できる。
【００２０】
（気体の取り出し）気体を取り出す際には、図１（Ｂ）に示すように、キャップ１７の穴２１から、パッキン１５を貫通させて注射針２３を差し込み、該注射針２３から収納されている前記気体を取り出すことができる。注射針２３を差し込む際にパッキン１５を貫通し易く、かつ注射針２３とパッキン１５との密着性がよいので、注射針２３とパッキン１５との間から漏れや外部から汚染がよりなく、気体を取り出すことができる。また、検査装置に気体導入用の注射針が設けられていれば、該注射針へ直接、該検査用呼気パック１０のキャップ１７の穴２１から、パッキン１５を貫通させるように、差し込めばよい。
【実施例】
【００２１】
以下、実施例及び比較例により、本発明を更に詳細に説明するが、これに限定されるものではない。
【００２２】
（実施例１）厚さ１２μｍのＰＥＴフィルムと、厚さ１５μｍのＯＮフィルムとを公知のドライラミネーション法で積層した。該積層フィルムのＯＮフィルム面へ厚さ８０μｍのＬ−ＬＤＰＥとを公知のドライラミネーション法で積層して、積層フィルムを得た。
該積層フィルムを使用し、幅１００ｍｍ×長さ１７５ｍｍのスタンディングパウチ本体とし、該スタンディングパウチ本体の上辺にはスパウトを熱融着した。キャップは天面中央の直径５ｍｍの穴を有し、パッキンは厚さ５ｍｍのシリコーン製を用いて、実施例１のスパウト付きスタンディングパウチである検査用呼気パック１０が得られた。
該検査用呼気パック１０をピロリ菌呼気パックとして、患者が注出口より呼気を吹き込んだところ、スタンディングパウチは容易に膨張、開拡して、気体注入口より口を離しても萎まず、気体注入口をパッキン１５を介してキャップ１７を螺合して、呼気気体を収納した。
該検査用呼気パック１０は、使用前は潰れた状態で嵩が小さく、大量でも小スペースで保管し易く、輸送もし易かった。
該検査用呼気パック１０のキャップの穴から覗いているパッキンへ、ポロリ菌検査装置の気体導入口からでているホース体の先端に接続された注射針を差し込んだところ、容易にパッキン１５を貫通でき、注射針２３とパッキン１５との密着性がよく注射針２３とパッキン１５との間から漏れもなく、外部から汚染もなく、内部の呼気気体を取り出せて、問題なく、検査することができた。
【図面の簡単な説明】
【００２３】
【図１】本発明の１実施例を示す検査用呼気パックのスパウト部の断面図である。
【符号の説明】
【００２４】
１０：検査用呼気パック
１１：パウチ本体
１３：注出口
１５：パッキン
１７：キャップ
２１：穴
２３：注射針
【図１】
2007108090.tif 000003